(57)【要約】【課題】スライド扉のどの高さ位置を操作しても、該スライド扉をスムーズに開閉操作することができるスライド扉開閉機構を提供すること。【解決手段】閉じ状態においてフラットな平面を成す左右のスライド扉３Ｌ，３Ｒによって収納庫本体２の前面開口部２ａを開閉する機構であって、前記スライド扉３Ｒ（３Ｌ）の何れか一方を手前側に引き出して横方向にスライドさせた後に他方のスライド扉３Ｌ（３Ｒ）の外面に重ねることによって前記収納庫本体２の前面開口部２ａを開くよう該スライド扉３Ｒ（３Ｌ）をガイドする上下一対のガイド手段Ｇ，Ｇ’を、前記収納庫本体２内の上下に平面仕切板４，４’によって画成された空間Ｓ，Ｓ’内にそれぞれ配置して成るスライド扉開閉機構において、前記各スライド扉３Ｒ（３Ｌ）に設けられた上下一対のガイド手段Ｇ，Ｇ’同士を連結ロッド２２で連結し、両ガイド手段Ｇ、Ｇ’が連動するよう構成する。【選択図】図５
2009007820.tif 000002
【特許請求の範囲】
【請求項１】
閉じ状態においてフラットな平面を成す左右のスライド扉によって収納庫本体の前面開口部を開閉する機構であって、前記スライド扉の何れか一方を手前側に引き出して横方向にスライドさせた後に他方のスライド扉の外面に重ねることによって前記収納庫本体の前面開口部を開くよう該スライド扉をガイドする上下一対のガイド手段を、前記収納庫本体内の上下に平面仕切板によって画成された空間内にそれぞれ配置して成るスライド扉開閉機構において、
前記各スライド扉に設けられた上下一対のガイド手段同士を連結ロッドで連結し、両ガイド手段が連動するよう構成したことを特徴とするスライド扉開閉機構。
【請求項２】
前記各ガイド手段を、前記スライド扉のスライド方向に配設された第１のガイドレールと、該ガイドレールに沿ってスライドする台車と、該台車に揺動可能に枢着された左右一対の揺動板と該揺動板の一端同士を連結するリンク部材及び揺動板の他端に回動可能に連結された前記スライド扉で構成されるリンク機構と、前記スライド扉の手前側への引き出し動作をガイドする第２のガイドレールを含んで構成するとともに、上下一対のガイド手段の各揺動板同士を前記連結ロッドで連結したことを特徴とする請求項１記載のスライド扉開閉機構。
【請求項３】
前記各平面仕切板の前端縁に、前記スライド扉が全閉状態にあるときに前記連結ロッドを格納するための切欠きを形成したことを特徴とする請求項１又は２記載のスライド扉開閉機構。
【請求項４】
前記第１のガイドレールと前記第２のガイドレールとを一体化したことを特徴とする請求項２又は３記載のスライド扉開閉機構。
【請求項５】
上下一対の前記ガイド手段の少なくとも一方の前記台車と前記揺動板の一方との間にダンパーを介設したことを特徴とする請求項２〜４の何れかに記載のスライド扉開閉機構。
【請求項６】
閉じ状態においてフラットな平面を成す左右のスライド扉によって収納庫本体の前面開口部が開閉される収納庫であって、請求項１〜５の何れかに記載のスライド開閉機構を備えたことを特徴とする収納庫。
【請求項７】
左右の前記スライド扉の幅方向一端面に、全高に亘って上下方向に直線状に延びるライン把手を取り付けたことを特徴とする請求項６記載の収納庫。
【発明の詳細な説明】
【技術分野】
【０００１】
本発明は、閉じ状態においてフラットな平面を成す左右のスライド扉の一方を手前側に引き出して横方向にスライドさせ、該スライド扉を他方のスライド扉に正面視で重ねることによって開くようにしたスライド扉開閉機構及びこれを備えた収納庫に関するものである。具体的には、主にキッチンで使用する大型の食器収納庫に採用されるスライド扉開閉機構及びこれを備えた収納庫に関するものである。
【背景技術】
【０００２】
近時、キッチンに設置される食器収納庫には、扉が収納庫本体の幅方向両端を中心として揺動する両開き型のものや、収納庫本体の前面開口部を横方向に引き違いにスライドする扉によって開閉するインセット型のものが使用されている。
【０００３】
ところが、両開き型の収納庫にあっては、扉を開閉するためには手前側に大きなスペースを要するという問題があり、インセット型の収納庫では、扉が引き違い式にスライドするために２枚の厚さ分だけ収納スペース奥行きが減少するという問題がある。
【０００４】
そこで、本出願人は、閉じ状態においてフラットな平面を成す左右のスライド扉の一方を手前側に引き出して横方向にスライドさせ、該スライド扉を他方のスライド扉に正面視で重ねることによって開くようにしたスライド扉開閉機構を先に提案した（特許文献１参照）。
【０００５】
このスライド扉開閉機構は、スライド扉の開閉動作をガイドする上下一対のガイド手段を、収納庫本体内の上下に平面仕切板によって画成された空間内にそれぞれ配置して構成されており、これによれば全閉状態において左右のスライド扉はフラットな平面を成すために収納庫の収納スペースがスライド扉によって減少することがなく、又、収納庫を開閉するときには一方のスライド扉を手前側に引き出して横方向にスライドさせるために手前側に大きな開閉スペースを必要としないという効果が得られる。
【特許文献１】特許第３７４１２０２号公報
【発明の開示】
【発明が解決しようとする課題】
【０００６】
ところで、システムキッチンの食器収納庫等には、操作性や意匠性の向上等のために扉の前面に把手等の突起物が突出しないものに対するニーズが高まりつつある。このようなニーズに応えるためには、扉の全高に亘って上下方向に直線状に延びる把手（以下、「ライン把手」と称する）をスライド扉の幅方向の一端面に取り付ける構成が考えられる。
【０００７】
しかしながら、ライン把手はどの高さ位置でも把持して操作し得るため、ユーザーによってライン把手を握る高さ位置がまちまちであり、特許文献１において提案されたスライド扉開閉機構を備えた収納庫においてライン把手の高さ方向中央から極端に上又は下が握られてスライド扉の開閉操作がなされた場合には、上下一対のガイド手段に掛る力が不均一となるためにガタツキ等が生じ、スライド扉をスムーズに開閉しにくくなくなるという問題が発生する。
【０００８】
本発明は特許文献１に記載された技術を改良するためになされたもので、その目的とする処は、スライド扉のどの高さ位置を操作しても、該スライド扉をスムーズに開閉操作することができるスライド扉開閉機構及びこれを備えた収納庫を提供することにある。
【課題を解決するための手段】
【０００９】
上記目的を達成するため、請求項１記載の発明は、閉じ状態においてフラットな平面を成す左右のスライド扉によって収納庫本体の前面開口部を開閉する機構であって、前記スライド扉の何れか一方を手前側に引き出して横方向にスライドさせた後に他方のスライド扉の外面に重ねることによって前記収納庫本体の前面開口部を開くよう該スライド扉をガイドする上下一対のガイド手段を、前記収納庫本体内の上下に平面仕切板によって画成された空間内にそれぞれ配置して成るスライド扉開閉機構において、前記各スライド扉に設けられた上下一対のガイド手段同士を連結ロッドで連結し、両ガイド手段が連動するよう構成したことを特徴とする。
【００１０】
請求項２記載の発明は、請求項１記載の発明において、前記各ガイド手段を、前記スライド扉のスライド方向に配設された第１のガイドレールと、該ガイドレールに沿ってスライドするスライダと、該スライダに揺動可能に枢着された左右一対の揺動板と該揺動板の一端同士を連結するリンク部材及び揺動板の他端に回動可能に連結された前記スライド扉で構成されるリンク機構と、前記スライド扉の手前側への引き出し動作をガイドする第２のガイドレールを含んで構成するとともに、上下一対のガイド手段の各揺動板同士を前記連結ロッドで連結したことを特徴とする。
【００１１】
請求項３記載の発明は、請求項１又は２記載の発明において、前記各平面仕切板の前端縁に、前記スライド扉が全閉状態にあるときに前記連結ロッドを格納するための切欠きを形成したことを特徴とする。
【００１２】
請求項４記載の発明は、請求項２又は３記載の発明において、前記第１のガイドレールと前記第２のガイドレールとを一体化したことを特徴とする。
【００１３】
請求項５記載の発明は、請求項２〜４の何れかに記載の発明において、上下一対の前記ガイド手段の少なくとも一方の前記スライダと前記揺動板の一方との間にダンパーを介設したことを特徴とする。
【００１４】
請求項６記載の発明は、閉じ状態においてフラットな平面を成す左右のスライド扉によって収納庫本体の前面開口部が開閉される収納庫が請求項１〜５の何れかに記載のスライド開閉機構を備えたことを特徴とする。
【００１５】
請求項７記載の発明は、請求項６記載の発明において、左右の前記スライド扉の幅方向一端面に、全高に亘って上下方向に直線状に延びるライン把手を取り付けたことを特徴とする。
【発明の効果】
【００１６】
請求項１及び２記載の発明によれば、各スライド扉に設けられた上下一対のガイド手段同士を連結ロッドで連結し、両ガイド手段が連動するよう構成したため、スライド扉のどの高さ位置を操作しても、該スライド扉をスムーズに開閉操作することができる。
【００１７】
請求項３記載の発明によれば、スライド扉が全閉状態にあるときには、連結ロッドが上下の平面仕切板の前端縁に形成された切欠きに収納されるため、収納庫内を仕切る収納棚の前端縁をスライド扉まで延ばすことができ、該収納棚の幅寸法を連結ロッドとの干渉を避けて縮小する必要がなく、収納庫に大きな収納スペースを確保することができる。
【００１８】
請求項４記載の発明によれば、第１のガイドレールと第２のガイドレールとを一体化したため、スライド扉開閉機構の構造単純化とコストダウンを図ることができる。
【００１９】
請求項５記載の発明によれば、少なくとも一方のガイド手段のスライダと一方の揺動板との間にダンパーを介設したため、スライド扉を閉じる際の衝撃がダンパーによって吸収され、該スライド扉の閉じ動作が静粛になされる。
【００２０】
請求項６及び７記載の発明によれば、スライド扉の幅方向一端面にライン把手を取り付けて収納庫の操作性と意匠性を高めつつ、このライン把手のどの高さ位置を操作しても、該スライド扉をスムーズに開閉操作することができる。
【発明を実施するための最良の形態】
【００２１】
以下に本発明の実施の形態を添付図面に基づいて説明する。
【００２２】
図１は本発明に係る収納庫の正面図、図２は図１のＡ−Ａ線断面図（スライド扉全閉時）、図３は図２のＢ−Ｂ線断面図、図４は図１のＡ−Ａ線断面図（スライド扉開閉時）、図５は図４のＣ−Ｃ線断面図、図６は図４のＤ部拡大詳細図、図７〜図９は本発明に係るスライド扉開閉機構の動作をスライド扉の開き動作手順に沿って示す部分斜視図である。
【００２３】
図１に示す収納庫１は、システムキッチンに併設される食器収納庫であって、矩形ボックス状の収納庫本体２の前面開口部２ａ（図２〜図５参照）は左右のスライド扉３Ｌ，３Ｒによって開閉されるが、図１〜図３に示すように、収納庫本体２の前面開口部２ａが左右のスライド扉３Ｌ，３Ｒによって閉じられているときには、左右のスライド扉３Ｌ，３Ｒは段差の無いフラットな平面を成している。
【００２４】
そして、上述のように収納庫本体２の前面開口部２ａが左右のスライド扉３Ｌ，３Ｒによって閉じられている状態において、図４及び図５に示すように、例えば右スライド扉３Ｒを手前側（図４の矢印ｙ方向）に引き出した後、該右スライド扉３Ｒを横方向（図４の矢印ｘ方向）にスライドさせて正面視で左スライド扉３Ｌに重ねることによって収納庫本体２の前面開口部２ａの右半分を開けることができ（開度５０％）、この開いた部分から食器類を出し入れすることができる。
【００２５】
又、前面開口部２ａの右半分が開いた収納庫本体２を閉じるには、正面視で左スライド扉３Ｌの前面側に重ねられた右スライド扉３Ｒを横方向（図４の矢印ｘ’方向）に右限までスライドさせた後、該右スライド扉３Ｒを奥側（図４の矢印ｙ’方向）に押し込めば良い。すると、右スライド扉３Ｒは収納庫本体２の前面開口部２ａの右半分を閉じ、図１〜図３に示すように、収納庫本体２の前面開口部２ａはフラットな平面を成す左右のスライド扉３Ｌ，３Ｒによって全閉される。尚、以上は右スライド扉３Ｒの開閉動作について説明したが、左スライド扉３Ｌも右スライド扉３Ｒと同様に操作することによって収納庫本体２の前面開口部２ａの左半分を開閉することができる。
【００２６】
而して、以上の左右のスライド扉３Ｌ，３Ｒの開閉動作は本発明に係るスライド扉開閉機構によってなされるが、このスライド開閉機構は、図１に示すように、各スライド扉３Ｌ，３Ｒの上下にそれぞれ設けられた各一対のガイド手段Ｇ，Ｇ’を備えている。ここで、収納庫本体２内の上下には水平な平面仕切板４，４’によって高さの低い空間Ｓ，Ｓ’がそれぞれ画成されており、前記上下一対のガイド手段Ｇ，Ｇ’は各空間Ｓ，Ｓ’にそれぞれ収納されている。従って、収納庫本体２においては、上下の平面仕切板４，４’の間の空間が収納空間となる。
【００２７】
次に、本発明に係るスライド開閉機構を構成するガイド手段Ｇ，Ｇ’の構成について説明する。尚、左右のスライド扉３Ｌ，３Ｒの上側に設けられたガイド手段Ｇ，Ｇ同士及び下側に設けられたガイド手段Ｇ’，Ｇ’同士は収納庫本体２の幅方向中心に対して左右対称に構成されているが、これらの基本構成は同じであるため、以下、右側のスライド扉３Ｒの上下に配設されたガイド手段Ｇ，Ｇ’の構成についてのみ説明する。
【００２８】
先ず、上側のガイド手段Ｇの構成について説明すると、図２及び図３に示すように、上側の平面仕切板４上には、上面が開口するチャンネル状の第１のガイドレール５が収納庫本体２の全幅に亘って横方向（スライド扉３Ｌ，３Ｒのスライド方向）に敷設されており、この第１のガイドレール５には、該ガイドレール５の全長の約１／４の長さを有する矩形パイプ状のスライダ６が移動可能に保持されている。即ち、図３に示すように、スライダ６の左右には複数のローラ７が回転可能に軸支されており、スライダ６はローラ７を介して第１のガイドレール５に沿って横方向（図３の紙面垂直方向）にスライド可能に保持されている。
【００２９】
上記スライダ６の上面の左右両端部には、図２に示すように、連結板８，９がそれぞれ水平に結着されており、これらの連結板８，９には揺動板１０，１１の各中間部が軸１２，１３によってそれぞれ水平に揺動可能に枢着されており、これらの揺動板１０，１１の各一端部（内側端部）同士はリンク部材１４によって連結されている。そして、揺動板１０，１１の各他端部（外側端部）には軸１５によって右スライド扉３Ｒの上端の２箇所が連結されている。
【００３０】
他方、下側のガイド手段Ｇ’においても、図３及び図５に示すように、下側の平面仕切板４’の下面には、下面が開口するチャンネル状の第１のガイドレール５’が収納庫本体２の全幅に亘って横方向（図３及び図５の紙面垂直方向）に敷設されており、この第１のガイドレール５’には、該ガイドレール５’の全長の約１／４の長さを有する断面Ｌ字状のスライダ６’が複数のローラ７’を介して移動可能に保持されている。
【００３１】
上記スライダ６’には、２枚の揺動板１０’，１１’（図３及び図５には揺動板１１’は不図示）が揺動可能に連結されており、これらの揺動板１０’，１１’の各一端部（内側端部）同士はリンク部材１４’によって連結されている。そして、揺動板１０，１１’の各他端部（外側端部）には軸１５’によって右スライド扉３Ｒの下端の２箇所が連結されている。
【００３２】
従って、右スライド扉３Ｒは、上下のガイド手段Ｇ，Ｇ’の揺動板１０，１１及び１０’，１１’によって垂直に支持されており、図１、図２及び図４に示すように、該右スライド扉３Ｒの右端面には、前方が開口するチャンネル状のライン把手１６が全高に亘って直線状に取り付けられている。尚、左スライド扉３Ｌの左端面にも同様のライン把手１６が取り付けられている。
【００３３】
而して、上側のガイド手段Ｇにおいては、両揺動板１０，１１とリンク部材１４及び右スライド扉３Ｒで平行四辺形リンクが構成されており、下側のガイド手段Ｇ’においても、両揺動板１０’，１１’とリンク部材１４’及び右スライド扉３Ｒで平行四辺形リンクが構成されている。
【００３４】
ところで、図２及び図４に示すように、上側のガイド手段Ｇの両揺動板１０，１１の間にはリターンスプリング１７が張設されており、一方の揺動板１０とスライダ６との間にはダンパー１８が介設されている。又、同様に下側のガイド手段Ｇ’の両揺動板１０，１１’の間にはリターンスプリング１７’が張設されている。
【００３５】
又、図３及び図４に示すように、上側のガイド手段Ｇにおいて、平面仕切板４の前記第１のガイドレール５の手前側には第２のガイドレール１９が横方向に敷設されている。この第２のガイドレール１９は、長手方向（横方向）に直線状に延びる直線ガイド部１９ａと該直線ガイド部１９ａの長手方向両端に形成された凹状の揺動ガイド部１９ｂとで構成されており、後述のように揺動ガイド部１９ｂは、右スライド扉３Ｒを手前側に引き出す際のガイドとして機能する。同様に、図３に示すように、下側のガイド手段Ｇ’においても、平面仕切板４’の前記第１のガイドレール５’の手前側（図３の左側）には第２のガイドレール１９’が横方向に敷設されており、図示しないが、この第２のガイドレール１９’の直線ガイド部の長手方向端部には、右スライド扉３Ｒを手前側に引き出す際のガイドとなる凹状の揺動ガイド部が形成されている。そして、本実施の形態においては、上側のガイド手段Ｇの第１のガイドレール５と第２のガイドレール１９及び下側のガイド手段Ｇ’の第１のガイドレール５’と第２のガイドレール１９’とは一体化されている。
【００３６】
又、図３に示すように、上側のガイド手段Ｇの一方の揺動板１０からは軸２０が垂直下方に突設されており、該軸２０の下端部には、前記第２のガイドレール１９に沿って転動するローラ２１が回転可能に支持されている。同様に、下側のガイド手段Ｇ’の一方の揺動板１０’からは軸２０’が垂直上方に立設されており、該軸２０’の上端部には、前記第２のガイドレール１９’に沿って転動するローラ２１’が回転可能に支持されている。
【００３７】
而して、本実施の形態においては、図５及び図７〜図９に示すように、上下のガイド手段Ｇ，Ｇ’の揺動板１０，１０’同士は、垂直に起立する矩形パイプ状の連結ロッド２２によって互いに連結されている。具体的には、揺動板１０，１０’と右スライド扉３Ｒとを連結する軸１５，１５’には、ブラケット２３，２３’がそれぞれ結着されており、これらのブラケット２３，２３’の軸１５，１５’に対して偏心した位置には前記連結ロッド２２の端部がフランジ２４，２４’を介して連結されている。
【００３８】
又、図４及び図７〜図９に示すように、上下の平面仕切板４，４’（図４には一方のみ図示）の前縁の幅方向両端部には、右スライド扉３Ｒが全閉状態にあるときに前記連結ロッド２２を格納するための切欠き２５ａが形成されている。この切欠き２５ａは、図６に詳細に示すように、その内側面（図６の左側面）２５ａ−１が前方（図６の下方）に向かって広がる傾斜面として形成されており、前方に向かって開口幅が広げられている。尚、本実施の形態では、切欠き２５ａが形成された樹脂製部材２５が上下の平面仕切板４，４’の前縁に嵌着されている。
【００３９】
次に、右スライド扉３Ｒの開閉動作について説明する。
【００４０】
図１及び図２に示すように、収納庫本体２の前面開口部２ａがフラットな平面を成す左右のスライド扉３Ｌ，３Ｒによって閉じられている状態では、図７に示すように、上下のガイド手段Ｇ，Ｇ’の揺動板１０，１０’同士を連結する連結ロッド２２は、上下の平面仕切板４，４’に嵌着された樹脂製部材２５の切欠き２５ａに収納されている。
【００４１】
上記状態において、ユーザーが例えば右スライド扉３Ｒのライン把手１６に手を掛けて該右スライド扉３Ｒを手前側（図４の矢印ｙ方向）に引くと、例えば上側のガイド手段Ｇにおいて、揺動板１０，１１がそれぞれ軸１２，１３を中心として図２の矢印ａ方向に揺動するが、前述のように揺動板１０，１１とリンク部材１４及び右スライド扉３Ｒは平行四辺形リンクを構成しているため、右スライド扉３Ｒは、揺動板１０，１１と共に図２の矢印ａ方向に揺動しつつ収納庫本体２の前面に対して平行に手前側へと移動する。尚、このとき、下側のガイド手段Ｇ’も同様に動作する。
【００４２】
而して、上述のように右スライド扉３Ｒを手前側に引き出す過程において、上下の揺動板１０，１０’に軸２０，２０’を介して回転可能に保持されたローラ２１，２１’は第２のガイドレール１９，１９’の揺動ガイド部１９ｂ（下側については不図示）に係合しているため（図８参照）、右スライド扉３Ｒの横移動が阻止される。又、上下のガイド手段Ｇ，Ｇ’の各揺動板１０，１０’同士は連結ロッド２２によって互いに連結されているため、上下のガイド手段Ｇ，Ｇ’は連動し、右スライド扉３Ｒが第２のガイドレール１９，１９’の揺動ガイド部１９ｂ（下側については不図示）に沿って揺動しながらスムーズに手前側に引き出される。このとき、上下の平面仕切板４，４’に嵌着された樹脂製部材２５の切欠き２５ａに収納されていた連結ロッド２２は、図８に示すように、切欠き２５ａから外れて円弧状に揺動しながら前方へと移動するが、前述のように切欠き２５ａは、その内側面２５ａ−１が前方に向かって広がる傾斜面として形成されており、前方に向かって開口幅が広げられているため（図６参照）、スライド扉３Ｒを手前に引きながら開く動作に対して連結ロッド２２の切欠き２５ａとの干渉が避けられ、且つ、浅い弧によって右スライド扉３Ｒは、揺動しながら手前側にスムーズに引き出される（図９参照）。
【００４３】
上述のように、右スライド扉３Ｒが収納庫本体２の前面に対して手前側へと平行に引き出されると、ユーザーが右スライド扉３Ｒのライン把手１６を把持して該右スライド扉３Ｒを左スライド扉３Ｌ方向へと引く。このとき、上下のガイド手段Ｇ，Ｇ’の揺動板１０，１０’に保持されたローラ２１，２１’は第２のガイドレール１９，１９’の直線ガイド部１９ａ（下側については不図示）に沿って移動して上下の平行四辺形リンクを図４に示す形状に保持するため、右側スライド扉３Ｒは、図４に示すように収納庫本体２の前面から前側に平行に引き出された状態を保持する。そして、この右スライド扉３Ｒは、上下のガイド手段Ｇ，Ｇ’のスライダ６，６’が第１のガイドレール５，５’に沿ってそれぞれ移動するに伴って左方向（図４の矢印ｘ方向）に平行にスライドし、図４に鎖線にて示すように左スライド扉３Ｌの手前側において正面視で左スライド扉３Ｌに重ねられ、収納庫本体２の前面開口部２ａの右半分を開く（開度５０％）。従って、ユーザーは、収納庫本体２の前面開口部２ａのうち、大きく開いた右半分から収納庫本体２内の収納空間に対して食器類を作業性良く出し入れすることができる。
【００４４】
次に、開状態にある収納庫本体２の開口部の２ａ右半分を右スライド扉３Ｒによって閉じる場合には、右スライド扉３Ｒを以上とは逆の手順で操作すれば良い。即ち、図４に鎖線にて示すように正面視で左スライド扉３Ｌに重ねられた右スライド扉３Ｒのライン把手１６を把持して該右スライド扉３Ｒを右方向（図４の矢印ｘ’方向）にスライドさせる。そして、右スライド扉３Ｒが右限まで移動し、上下のガイド手段Ｇ，Ｇ’の揺動板１０，１０’に保持されたローラ２１，２１’の第２のガイドレール１９，１９’への係合が直線ガイド部１９ａ（下側については不図示）から揺動ガイド部１９ｂ（下側については不図示）に移行した時点で、ライン把手１６を操作して右スライド扉３Ｒを奥側に押し込むと、上側のリンク機構Ｇの揺動板１０，１１はリターンスプリング１７の復元力によって軸１２，１３を中心として図４の矢印ｂ方向に回動し、平行四辺形リンクは図２に示す全閉状態へと復帰する。同様に、下側のガイド手段Ｇ’の揺動板１０’，１１’もリターンスプリング１７’の復元力によって同方向に回動し、平行四辺形リンクは全閉状態へと復帰する。
【００４５】
而して、上述のように平行四辺形リンクが全閉状態に復帰すると右スライド扉３Ｒは収納庫本体２の前面に対して平行に奥側へと移動して図１〜図３に示すように収納庫本体２の前面開口部２ａの右半分を閉じ、左右のスライド扉３Ｌ，３Ｒはフラットな平面を成す。このとき、上下のガイド手段Ｇ，Ｇ’の揺動板１０，１０’同士を連結する連結ロッド２２は、図７に示すように、上下の平面仕切板４，４’に嵌着された樹脂製部材２５の切欠き２５ａに収納される。そして、本実施の形態では、上側のガイド手段Ｇのスライダ６と揺動板１０との間にダンパー１８を介設したため、右スライド扉３Ｒを閉じる際の衝撃がダンパー１８によって吸収され、該右スライド扉３Ｒの閉じ動作が静粛になされる。
【００４６】
尚、以上は右スライド扉３Ｒの開閉動作について説明したが、左スライド扉３Ｌの開閉動作も右スライド扉３Ｒと同様であって、収納庫本体２の前面開口部２ａの左半分は左スライド扉３Ｌによって開閉される。
【００４７】
以上のように、本発明に係るスライド扉開閉機構においては、左右のスライド扉３Ｌ，３Ｒに設けられた上下一対のガイド手段Ｇ，Ｇ’同士を連結ロッド２２で連結し、両ガイド手段Ｇ，Ｇ’が連動するよう構成したため、スライド扉３Ｌ，３Ｒのライン把手１６のどの高さ位置を操作しても、左右のスライド扉３Ｌ，３Ｒをスムーズに開閉することができる。
【００４８】
従って、本実施の形態のように左右のスライド扉３Ｌ，３Ｒの幅方向一端面に上下方向に直線状に延びるライン把手１６を取り付け、収納庫１の前面に突起物が突出しないようにして操作性と意匠性を高めた場合であっても、このライン把手１６のどの高さ位置を操作しても、左右のスライド扉３Ｌ，３Ｒをスムーズに開閉することができる。
【００４９】
又、本発明に係るスライド開閉機構においては、スライド扉３Ｌ，３Ｒが全閉状態にあるときには、連結ロッド２２が上下の平面仕切板４，４’の前端縁に嵌着された樹脂製部材２５の切欠き２５ａに収納されるため、収納庫本体２内を仕切る不図示の収納棚の前端縁をスライド扉３Ｌ，３Ｒまで延ばすことができ、該収納棚の幅寸法を連結ロッド２２との干渉を避けて縮小する必要がなく、収納庫本体２に大きな収納スペースを確保することができる。
【００５０】
更に、本実施の形態では、上側のガイド手段Ｇの第１のガイドレールと第２のガイドレール１９とを一体化するとともに、下側のガイド手段Ｇ’の第１のガイドレール５’と第２のガイドレール１９’とを一体化たため、スライド扉開閉機構の構造単純化とコストダウンを図ることができる。
【産業上の利用可能性】
【００５１】
本発明は、キッチンに設置される食器棚の他、台所用クローゼット、本箱、靴箱、物置等、任意の収納庫とこれに備えられるスライド開閉機構に対して適用可能である。
【図面の簡単な説明】
【００５２】
【図１】本発明に係る収納庫の正面図である。
【図２】図１のＡ−Ａ線断面図（スライド扉全閉時）である。
【図３】図２のＢ−Ｂ線断面図である。
【図４】図１のＡ−Ａ線断面図（スライド扉開閉時）である。
【図５】図４のＣ−Ｃ線断面図である。
【図６】図４のＤ部拡大詳細図である。
【図７】本発明に係るスライド扉開閉機構の動作を示す部分斜視図である。
【図８】本発明に係るスライド扉開閉機構の動作を示す部分斜視図である。
【図９】本発明に係るスライド扉開閉機構の動作を示す部分斜視図である。
【符号の説明】
【００５３】
１            収納庫
２            収納庫本体
２ａ          収納庫本体の前面開口部
３Ｌ，３Ｒ    スライド扉
４，４’      平面仕切板
５，５’      第１のガイドレール
６，６’      スライダ
７，７’      ローラ
８，９        連結板
１０，１０’  揺動板
１１，１１’  揺動板
１２，１３    軸
１４，１４’  リンク部材
１５，１５’  軸
１６          ライン把手
１７，１７’  リターンスプリング
１８          ダンパー
１９，１９’  第２のガイドレール
１９ａ        第２のガイドレールの直線ガイド部
１９ｂ        第２のガイドレールの揺動ガイド部
２０，２０’  軸
２１，２１’  ローラ
２２          連結ロッド
２３，２３’  ブラケット
２４，２４’  フランジ
２５          樹脂製部材
２５ａ        切欠き
２５ａ−１    切欠きの内側面
Ｇ，Ｇ’      ガイド手段
Ｓ，Ｓ’      空間
【図１】
2009007820.tif 000003
【図２】
2009007820.tif 000004
【図３】
2009007820.tif 000005
【図４】
2009007820.tif 000006
【図５】
2009007820.tif 000007
【図６】
2009007820.tif 000008
【図７】
2009007820.tif 000009
【図８】
2009007820.tif 000010
【図９】
2009007820.tif 000011